(57)【要約】【課題】光学素子に付着したゴミを確実に除去することが可能な撮像素子ユニット及び撮像装置を提供すること。【解決手段】被写体の光学像が結像される撮像面を有し、光学像を電気信号に変換する撮像素子１０２と、撮像素子１０２よりも被写体側に配置されたローパスフィルタ１０６と、ローパスフィルタ１０６の周縁部に装着され、面方向と直交する方向に延在するアーム部１０８ｂを有するプレート１０８と、プレート１０８に装着され、プレート１０８及び光学素子１０６を振動させる圧電素子１１０と、プレート１０８のアーム部１０８ｂと当接し、少なくともプレート１０８の面方向でプレート１０８を保持する保持枠１０４と、を備える。【選択図】図１
2010114647.tif 000002
【特許請求の範囲】
【請求項１】
被写体の光学像が結像される撮像面を有し、前記光学像を電気信号に変換する撮像素子と、
前記撮像素子よりも被写体側に配置された光学素子と、
前記光学素子の周縁部に装着され、面方向に当接部を有するプレートと、
前記プレートに装着され、前記プレート及び前記光学素子を振動させる圧電素子と、
前記プレートの前記当接部と当接し、少なくとも前記プレートの面方向で前記プレートを保持する保持枠と、
を備える撮像素子ユニット。
【請求項２】
前記当接部は、前記プレートの面方向と直交する方向に延在するアーム部から構成され、
前記保持枠は、前記プレートの前記アーム部と当接する、請求項１に記載の撮像素子ユニット。
【請求項３】
前記アーム部は、前記プレートの外形の対向する２辺にそれぞれ設けられ、
前記保持枠は、対向する２つの前記内壁を有し、
前記対向する２辺のアーム部を介して前記プレートが前記２つの内壁の間に挟持された、請求項２に記載の撮像素子ユニット。
【請求項４】
被写体の光学像を結像する撮像光学系と、
前記撮像光学系により被写体の光学像が結像される撮像面を有し、前記光学像を電気信号に変換する撮像素子と、
前記撮像素子よりも被写体側に配置された光学素子と、
前記光学素子の周縁部に装着され、面方向に当接部を有するプレートと、
前記プレートに装着され、前記プレート及び前記光学素子を振動させる圧電素子と、
前記プレートの前記当接部と当接し、少なくとも前記プレートの面方向で前記プレートを保持する保持枠と、
を備える撮像装置。
【請求項５】
前記当接部は、前記プレートの面方向と直交する方向に延在するアーム部から構成され、
前記保持枠は、前記プレートの前記アーム部と当接する、請求項４に記載の撮像装置。
【請求項６】
前記アーム部は、前記プレートの外形の対向する２辺にそれぞれ設けられ、
前記保持枠は、対向する２つの前記内壁を有し、
前記対向する２辺のアーム部を介して前記プレートが前記２つの内壁の間に挟持された、請求項５に記載の撮像装置。
【発明の詳細な説明】
【技術分野】
【０００１】
本発明は、撮像素子ユニット及び撮像装置に関する。
【背景技術】
【０００２】
近時においては、撮像素子の画素数の増加に伴い、画素ピッチが細かなものとなっている。このため、撮像素子の撮像面の近傍の光学素子面に付着した埃の影が撮像画像に写り込み、画質に影響を及ぼす問題が生じている。このような問題に対処するため、例えば下記の特許文献１には、撮像素子の密閉部を小さく済むように構成し、小型な防塵機構を構成し、カメラの組立後に発生する塵埃に対しても効果のあることを想定した撮像素子の防塵機構が記載されている。
【０００３】
【特許文献１】特開２００２−２０４３７９号公報
【特許文献２】特開２００３−３１９２２２号公報
【特許文献３】特開２００３−３３８９６５号公報
【発明の開示】
【発明が解決しようとする課題】
【０００４】
しかしながら、上記従来の技術では、圧電素子によって防塵のためのフィルター、ガラス等の光学部材を振動させる構成としているが、圧電素子による屈曲運動は、基本的に光学素子の表面を２次元的に振動させる往復運動であるため、振動により塵、埃などのゴミに伝わる力の方向によっては、ゴミを完全に除去できないことが想定される。
【０００５】
そこで、本発明は、上記問題に鑑みてなされたものであり、本発明の目的とするところは、光学素子に付着したゴミを確実に除去することが可能な、新規かつ改良された撮像素子ユニット及び撮像装置を提供することにある。
【課題を解決するための手段】
【０００６】
上記課題を解決するために、本発明のある観点によれば、被写体の光学像が結像される撮像面を有し、前記光学像を電気信号に変換する撮像素子と、前記撮像素子よりも被写体側に配置された光学素子と、前記光学素子の周縁部に装着され、面方向に当接部を有するプレートと、前記プレートに装着され、前記プレート及び前記光学素子を振動させる圧電素子と、前記プレートの前記当接部と当接し、少なくとも前記プレートの面方向で前記プレートを保持する保持枠と、を備える撮像素子ユニットが提供される。
【０００７】
上記構成によれば、撮像素子は被写体の光学像が結像される撮像面を有し、撮像素子により被写体の光学像が電気信号に変換される。光学素子は、撮像素子よりも被写体側に配置される。プレートは光学素子の周縁部に装着され、面方向に当接部を有する。圧電素子はプレートに装着され、圧電素子によりプレート及び光学素子が面直方向へ振動される。保持枠はプレートの当接部と当接し、少なくともプレートの面方向でプレートを保持する。従って、保持枠がプレートの面方向でプレートを保持するため、圧電素子の屈曲運動によりプレートのアーム部が振動した際に、当接部の振動によりプレートが面方向に移動する。従って、プレート及び光学素子を面直方向のみならず面方向にも振動させることが可能となり、３次元的な振動により確実にゴミ、パーティクルを除去することが可能となる。
【０００８】
前記当接部は、前記プレートの面方向と直交する方向に延在するアーム部から構成され、前記保持枠は、前記プレートの前記アーム部と当接する。かかる構成によれば、当接部は、プレートの面方向と直交する方向に延在するアーム部から構成されるため、保持枠によりプレートの面方向を確実に保持することができる。
【０００９】
また、前記アーム部は、前記プレートの外形の対向する２辺にそれぞれ設けられ、前記保持枠は、対向する２つの前記内壁を有し、前記対向する２辺のアーム部を介して前記プレートが前記２つの内壁の間に挟持される。従って、プレートが保持枠の２つの内壁の間に挟持されるため、面方向でプレートを確実に支持することができ、プレート及び光学素子を面方向に確実に振動させることができる。
【００１０】
また、上記課題を解決するために、本発明の別の観点によれば、被写体の光学像を結像する撮像光学系と、前記撮像光学系により被写体の光学像が結像される撮像面を有し、前記光学像を電気信号に変換する撮像素子と、前記撮像素子よりも被写体側に配置された光学素子と、前記光学素子の周縁部に装着され、面方向に当接部を有するプレートと、前記プレートに装着され、前記プレート及び前記光学素子を振動させる圧電素子と、前記プレートの前記当接部と当接し、少なくとも前記プレートの面方向で前記プレートを保持する保持枠と、を備える撮像装置が提供される。
【００１１】
上記構成によれば、撮像光学系は被写体の光学像を結像し、撮像素子は被写体の光学像が結像される撮像面を有し、撮像素子により被写体の光学像が電気信号に変換される。光学素子は、撮像素子よりも被写体側に配置される。プレートは光学素子の周縁部に装着され、面方向に当接部を有する。圧電素子はプレートに装着され、圧電素子によりプレート及び光学素子が面直方向へ振動される。保持枠はプレートの当接部と当接し、少なくともプレートの面方向でプレートを保持する。従って、保持枠がプレートの面方向でプレートを保持するため、圧電素子の屈曲運動によりプレートのアーム部が振動した際に、アーム部の振動によりプレートが面方向に移動する。従って、プレート及び光学素子を面直方向のみならず面方向にも振動させることが可能となり、３次元的な振動により確実にゴミ、パーティクルを除去することが可能となる。
【００１２】
前記当接部は、前記プレートの面方向と直交する方向に延在するアーム部から構成され、前記保持枠は、前記プレートの前記アーム部と当接する。かかる構成によれば、当接部は、プレートの面方向と直交する方向に延在するアーム部から構成されるため、保持枠によりプレートの面方向を確実に保持することができる。
【００１３】
また、前記アーム部は、前記プレートの外形の対向する２辺にそれぞれ設けられ、前記保持枠は、対向する２つの前記内壁を有し、前記対向する２辺のアーム部を介して前記プレートが前記２つの内壁の間に挟持される。従って、プレートが保持枠の２つの内壁の間に挟持されるため、面方向でプレートを確実に支持することができ、プレート及び光学素子を面方向に確実に振動させることができる。
【発明の効果】
【００１４】
本発明によれば、光学素子に付着したゴミを確実に除去することが可能な、撮像素子ユニット及び撮像装置を提供することが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の一実施形態に係る撮像装置２００の主要部を示す断面図であって、水平方向から撮像装置２００を見た状態を示している。撮像装置２００は、撮像素子の本体２００内に配置された結像レンズ２０２を有し、この結像レンズ２０２全体、あるいは結像レンズ２０２を構成する一部のレンズを光軸方向に移動することで結像位置を調節できる、不図示の焦点調節機構を備えている。
【００１７】
一方、結像レンズ２０２に対して被写体とは反対側には、撮像素子ユニット１００が配置されている。撮像素子ユニット１００は、光電変換素子であって、ＣＣＤ（Charge Coupled Device）、ＣＭＯＳ等のセンサから構成される撮像素子１０２を備えている。撮像素子１０２の撮像面には、結像レンズ２０２によって被写体像が結像される。
【００１８】
また、結像レンズ２０２と撮像素子ユニット１００との間には、撮像素子１０２への露光量を調整するシャッター２０４が設けられている。撮像素子ユニット１００は、不図示の支持部を本体２００に固定されている。
【００１９】
図２は、本発明の一実施形態に係る撮像ユニット１００の構成を示す断面図であって、図１中の撮像ユニット１００を拡大して示している。図１に示すように、撮像ユニット１００は、撮像素子１０２、保持枠１０４、ローパスフィルタ（ＬＰＦ）１０６、金属プレート１０８、圧電素子１１０、フレキシブルプリント基板１１１、クッション材１１２、１１４、内部保持枠１１６、基板１１８、を備える。なお、本実施形態では、圧電素子１１０によって振動される光学素子としてローパスフィルタ１０６を例示しているが、光学素子はレンズ、またはガラス板などであっても良い。
【００２０】
図２において、撮像素子１０２は基板１１８上に実装され、基板１１８は保持枠１０４及び内部保持枠１１６に対して固定されている。撮像素子１０２は、保持枠１０４の開口部１０４ａ側に撮像面を向けた状態で保持されている。
【００２１】
圧電素子１１０は、光軸に対して上下２箇所に配置されている。圧電素子１１０の撮像素子１０２側の面には、圧電素子１１０に信号を送るフレキシブルプリント基板１１１が貼り付けられている。そして、圧電素子１１０及びフレキシブルプリント基板１１１は、クッション材１１４を介して、内側保持枠１１６に取り付けられている。
【００２２】
また、圧電素子１１０は、金属プレート１０８を介してローパスフィルタ１０６に固定され、金属プレートはクッション材１１２を介して保持枠に装着されている。図３は、図２に示す構造のうち、保持枠１０４、ローパスフィルタ１０６、金属プレート１０８、及び圧電素子１１０の配置を示す断面図であって、撮像装置１００の上面から見た状態を示している。
【００２３】
図３に示すように、金属プレート１０８は、ローパスフィルタ１０６の撮像素子１０２側の面に装着されている。金属プレート１０８は、エポキシ系接着材、紫外線硬化型などの接着剤によりローパスフィルタ１０６に接着されている。
【００２４】
図４は、図３の矢印Ａ１方向から見た状態を示す平面図である。図４に示すように、ローパスフィルタ１０６は矩形形状とされ、４隅にはＲ形状が設けられている。ローパスフィルタ１０６は、保持枠１０４に設けられた、矩形形状の開口１０４ａ内に挿入されている。金属プレート１０８は、その外形がローパスフィルタ１０６の外形１０６ａよりも大きい矩形形状とされている。また、金属プレート１０８には、ローパスフィルタ１０６の外形１０６ａよりも狭い範囲に開口１０８ａが設けられている。従って、金属プレートは、開口１０８ａとローパスフィルタ１０６の外形１０６ａの間の領域を接着面として金属プレート１０８と接着されている。
【００２５】
図３に示すように、金属プレート１０８の撮像素子１０２側の面には、圧電素子１１０が接着されている。図４に示すように、圧電素子１１０は、金属プレート１０８の上下に２つ装着されている。また、各圧電素子１１０にはフレキシブルプリント基板１１１から周期電圧が印加される。各圧電素子１１０は圧電素子の板厚方向（結像レンズ１０２の光軸方向）で同じ向きに分極され、圧電体表面側の面に周期信号を発生する発振器により周期的な電圧が印加される。前記周期信号は矩形波でもサイン波でもかまわない。なお、２つの圧電素子には同相の周期的な電圧を印加しても良いし、逆相の周期的な電圧を印加しても良い。圧電素子１１０に電圧が印加されると、圧電素子１１０はその長さ方向への伸縮振動モードにて運動する。この際、圧電素子１１０に接着されている金属プレート１０８は、圧電素子１１０の伸び方向に対して殆ど伸びないために、その伸び率の差により圧電素子１１０と金属プレート１０８及びローパスフィルタ１０６の複合部材に屈曲振動が引き起こされる。これにより、圧電素子１１０の屈曲振動の腹の部分の質点は光軸方向に振動し、最大の振動巾を持つ。また、屈曲振動の節の位置では、質点の振動巾は零で回転振動のみ行なう。屈曲振動の腹と節との間では、質点は該質点から近い側の節を中心とした円弧状の振動をする。
【００２６】
このように、圧電素子１１０の伸縮運動に伴い、圧電素子１１０に対して接着された金属プレート１０８が屈曲運動を行い、金属プレート１０８に接着されたローパスフィルタ１０６は金属プレート１０８とともに屈曲運動を行う。これにより、ローパスフィルタ１０６が屈曲運動を行うことにより、ローパスフィルタ１０６の被写体側の面に付着した塵、埃などのゴミ、パーティクル等を除去することができる。
【００２７】
金属プレート１０８は、保持枠１０４に対してクッション材１１２を介して取り付けられている。また、圧電素子１１０は、内側保持枠１１６に対してクッション材１１４を介して取り付けられている。従って、屈曲運動の保持枠１０４、内側保持枠１１６への伝播が抑止される。
【００２８】
また、クッション材１１２は、金属プレート１０８の周縁の全周に設けられている。従って、図２に示すように、保持枠１０４、クッション材１１２、金属プレート１０８、ローパスフィルタ１０６、基板１１８を組付けた状態では、ローパスフィルタ１０６と撮像素子１０２の間の空間が密閉される。従って、撮像素子１０２の撮像面、ローパスフィルタ１０６の撮像素子１０２側の面にゴミが付着することを確実に抑止できる。
【００２９】
そして、本実施形態では、金属プレート１０８の外形をガラスの外形１０６ａよりも大きくしたことにより、ローパスフィルタ１０６の周辺には、金属プレート１０８の撮像素子１０２側と反対の面に所定の領域が確保される。これにより、保持枠１０４の撮像素子１０２側の面と密着される領域を確保することができ、保持枠１０４に対して金属プレート１０８を密着させることで、ローパスフィルタ１０６及び圧電素子１１０を保持することができる。
【００３０】
ここで、保持枠１０４に対してローパスフィルタ１０６を直接密着させた場合、密着させた領域には、光軸方向に保持枠１０４とローパスフィルタ１０６の双方の部材が配置されるため、光軸方向により大きなスペースが必要となる。
【００３１】
図５は、比較例として、保持枠１０４に対して、クッション材１１２を介してローパスフィルタ１０６を密着させた例を示している。ここで、一点鎖線Ｉ−Ｉ’に沿った位置では、保持枠１０４、クッション材１１２、ローパスフィルタ１０６、圧電素子１１０が光軸方向に重なって配置されるため、保持枠１０４の被写体側の面からローパスフィルタ１０６の被写体側の面までの距離ｔ１０が大きくなる。
【００３２】
一方、図３に示す本実施形態の例では、ローパスフィルタ１０６の輪郭の外側に保持枠１０４が配置され、保持枠１０４とローパスフィルタ１０６は光軸方向に重ならないため、保持枠１０４の被写体側の面からローパスフィルタ１０６の被写体側の面までの距離ｔ１を十分に小さくすることができる。これにより、撮像素子ユニット１００の厚さを最小限に抑えることが可能となり、撮像素子ユニット１００の更なる小型化を達成することができる。
【００３３】
また、図５に示す比較例の構成では、圧電素子１１０をローパスフィルタ１０６に固定するためには、ローパスフィルタ１０６の外形１０６ａを保持枠１０４の開口１０４ａよりも十分に大きくして、光軸方向でローパスフィルタ１０６と保持枠１０４が重なる領域を広く確保する必要がある。このため、ローパスフィルタ１０６の外形１０６ａが大きくなり、この結果、保持枠１０４の外形が大きくなるため、撮像素子ユニット１００の大型化を招来する問題がある。
【００３４】
本実施形態では、保持枠１０４に対して金属プレート１０８が固定されるため、ローパスフィルタ１０６の周縁に密着のための領域を設ける必要がない。従って、ローパスフィルタ１０６の大きさを最小限に抑えることができ、光軸と直交する方向においても、撮像素子ユニット１００の更なる小型化を達成できる。また、ローパスフィルタ１０６を縮小できるため、製造コストを大幅に低減することも可能となる。
【００３５】
図３に示すように、金属プレート１０８の外形において、対向する２辺にはアーム部１０８ｂが設けられている。アーム部１０８ｂは、金属プレート１０８の主面に対して、撮像素子１０２側に折り曲げられて形成されている。そして、保持枠１０４に金属プレート１０８を装着した状態では、アーム部１０８ｂが内側（光軸側）に撓み、保持枠１０４の内壁１０４ｂに当接するように構成されている。これにより、図３に示すように、金属プレート１０８は、対向する２辺のアーム部１０８ｂが内側に撓んだ状態で、保持枠１０４の内壁１０４ｂに嵌合して固定される。換言すれば、金属プレート１０８は、アーム部１０８ｂが内側に撓んだ状態で左右の内壁１０４ｂの間に挟持される。
【００３６】
図６は、金属プレート１０８が３つの節を有する振動モードにより振動している様子を示す模式図である。図６に示すように、金属プレート１０８に定常波が生じて振動すると、アーム部１０８ｂの内壁１０４ｂとの当接部は、光軸と垂直な方向に微小量ｄだけ移動する。
【００３７】
このため、金属プレート１０８を保持枠１０４の内壁１０４ｂに挟持した状態で振動させると、アーム部１０８ｂの内壁１０４ｂとの当接部が光軸と垂直な方向に移動することにより、金属プレート１０８の全体を光軸と垂直な方向に振動させることができる。これにより、図７に示すように、３つの節を有する振動モードで金属プレート１０８を振動させた状態で、金属プレート１０８を光軸と垂直な方向（矢印Ａ２方向）に振動させることが可能となる。なお、図６及び図７では、３つの節を有する振動モードで金属プレート１０８を振動させているが、節の数はこれに限定されるものではなく、２つの節を有する振動モード、または４つ以上の節を有する振動モードで振動させても良い。
【００３８】
ローパスフィルタ１０６に付着したゴミ、パーティクルは、光軸方向にローパスフィルタ１０６が振動することにより、基本的には除去することができるが、付着力が強い場合、光軸方向の振動のみでは除去できない場合がある。
【００３９】
本実施形態では、圧電素子１１０の振動により定常波を発生させて光軸方向にローパスフィルタ１０６の表面を振動させるとともに、アーム部１０８ｂの作用によりローパスフィルタ１０６を光軸と垂直方向に振動させることができる。これにより、ローパスフィルタ１０６の表面を２次元の往復運動ではなく、３次元的に振動させることができる。従って、ローパスフィルタ１０６表面に付着した塵、埃に対して様々な方向からの剥離力を作用させることができ、塵、埃などのゴミ、パーティクルの除去性能を向上することができる。従って、強い付着力で付着したゴミ、パーティクルであっても、確実に除去することが可能となる。
【００４０】
次に、金属プレート１０８を３次元的に振動させる具体例について説明する。図４に示すように、アーム部１０８ｂは、金属プレート１０８の外形の対向する２辺において、各辺に２箇所設けられている。そして、図８は、２つの節を有する振動モードにより、上下の圧電素子１１０の屈曲運動の位相を反転させて振動させた例を示しており、図８（ａ）は振動モードを、図８（ｂ）は金属プレート１０８が振動する様子を模式的に示している。この場合、図９に示すように、１の対角方向に配置された２つのアーム部１０８ｂ（Ａ），１０８ｂ（Ｄ）が、金属プレート１０８の輪郭からの長さが短くなる方向に変形すると、他の対角方向に配置された２つのアーム部１０８ｂ（Ｂ），１０８ｂ（Ｃ）は、金属プレート１０８の輪郭からの長さが長くなる方向に変形する。また、図１０に示すように、アーム部１０８ｂ（Ａ），１０８ｂ（Ｄ）が、金属プレート１０８の輪郭からの長さが長くなる方向に変形すると、アーム部１０８ｂ（Ｂ），１０８ｂ（Ｃ）は、金属プレート１０８の輪郭からの長さは短くなる方向に変形する。このように、２つの節を有する振動モードにより上下の圧電素子１１０を逆位相で振動させると、左右の屈曲に上下の屈曲が混合されて、アーム部１０８ｂ（Ａ）とアーム部１０８ｂ（Ｄ）の間の相互の伸びに対してアーム部１０８ｂ（Ｂ）とアーム部１０８ｂ（Ｃ）の間が相互に縮むモードが出現する。
【００４１】
従って、図９と図１０の状態が繰り返されることになり、保持枠１０４の内壁１０４ｂに挟持された金属プレート１０８は、図９及び図１０に示す矢印Ａ３の円弧方向に振動を繰り返す。これにより、金属プレート１０８が３次元的に振動し、ローパスフィルタ１０６に付着したパーティクルを確実に除去することが可能である。
【００４２】
図１１は、３つの節を有する振動モードにより２つの圧電素子１１０を同じ位相で振動させた場合を示しており、図１１（ａ）は振動モードを、図１１（ｂ）は金属プレート１０８が振動する様子を模式的に示している。この場合、図１２に示すように、１辺に配置された２つのアーム部１０８ｂ（Ｂ），１０８ｂ（Ｄ）が、金属プレート１０８の輪郭からの長さが短くなる方向に変形すると、他の辺に配置された２つのアーム部１０８ｂ（Ａ），１０８ｂ（Ｃ）は金属プレート１０８の輪郭からの長さが長くなる方向に変形する。また、図１３に示すように、２つのアーム部１０８ｂ（Ｂ），１０８ｂ（Ｄ）が、金属プレート１０８の輪郭からの長さが長くなる方向に変形すると、２つのアーム部１０８ｂ（Ａ），１０８ｂ（Ｃ）は、金属プレート１０８の輪郭からの短くなる方向に変形する。
【００４３】
従って、図１２と図１３の状態が繰り返されることになり、保持枠１０４の内壁１０４ｂに挟持された金属プレート１０８は、図１２及び図１３に示す矢印Ａ４の方向に往復運動を繰り返す。これにより、金属プレート１０８が３次元的に振動し、ローパスフィルタ１０６に付着したパーティクルを確実に除去することが可能である。
【００４４】
以上説明したように本実施形態によれば、ローパスフィルタ１０６の周縁に金属プレート１０８を装着し、金属プレート１０８のアーム部１０８ｂを保持枠１０４の内壁１０４ｂで挟持するようにしたため、圧電素子１１０の屈曲運動によりローパスフィルタ１０６の表面を光軸方向に振動させた際に、ローパスフィルタ１０６を光軸と垂直方向に振動させることができる。従って、３次元的な振動によりローパスフィルタ１０６に付着したゴミ、パーティクルを確実に除去することが可能となる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４６】
例えば、本実施形態では保持枠１０４の対向する内壁１０４ｂで金属プレート１０８のアーム部１０８ｂを挟持する構成としたが、一方の辺に設けられたアーム部１０８ｂを内壁１０４ｂに対して接着等により固定し、他方の辺に設けられたアーム部１０８ｂを内壁１０４ｂに当接させずにフリーな状態にしても良い。この場合においても、図６で説明したように、圧電素子１１０の屈曲運動により金属プレート１０８は光軸と垂直な方向に振動するため、一方の辺で固定された内壁１０４ｂに対して振動することができる。
【図面の簡単な説明】
【００４７】
【図１】本発明の各実施形態に係る撮像装置の主要部を示す断面図である。
【図２】本発明の一実施形態に係る撮像ユニットの構成を示す断面図である。
【図３】保持枠、ローパスフィルタ、金属プレート、及び圧電素子の配置を示す断面図であって、撮像装置の上面から見た状態を示す模式図である。
【図４】図３の矢印Ａ方向から見た状態を示す平面図である。
【図５】比較例として、保持枠に対して、クッション材を介してローパスフィルタを密着させた例を示す模式図である。
【図６】金属プレートが２つの節を有する振動モードにより振動している様子を示す模式図である。
【図７】２つの節を有する振動モードで金属プレートを振動させた状態で、金属プレートを光軸と垂直な方向に振動させた状態を示す模式図である。
【図８】上下の圧電素子の屈曲運動の位相を反転させて振動させた例を示す模式図である。
【図９】上下の圧電素子の屈曲運動の位相を反転させて振動させた例を示す模式図である。
【図１０】上下の圧電素子の屈曲運動の位相を反転させて振動させた例を示す模式図である。
【図１１】３つの節を有する振動モードにより２つの圧電素子を同じ位相で振動させた場合を示す模式図である。
【図１２】３つの節を有する振動モードにより２つの圧電素子を同じ位相で振動させた場合を示す模式図である。
【図１３】３つの節を有する振動モードにより２つの圧電素子を同じ位相で振動させた場合を示す模式図である。
【符号の説明】
【００４８】
１００    撮像素子ユニット
１０２    撮像素子
１０４    保持枠
１０４ｂ    内壁
１０６    ローパスフィルタ
１０８    金属プレート
１０８ｂ    アーム部
１１０    圧電素子
２００    撮像装置
２０２    結像レンズ
【図１】
2010114647.tif 000003
【図２】
2010114647.tif 000004
【図３】
2010114647.tif 000005
【図４】
2010114647.tif 000006
【図５】
2010114647.tif 000007
【図６】
2010114647.tif 000008
【図７】
2010114647.tif 000009
【図８】
2010114647.tif 000010
【図９】
2010114647.tif 000011
【図１０】
2010114647.tif 000012
【図１１】
2010114647.tif 000013
【図１２】
2010114647.tif 000014
【図１３】
2010114647.tif 000015